(57)【要約】【課題】構造が簡単で、小型、長寿命の振分装置の提供。【解決手段】パチンコ機１０に用いられ、遊技球５００を異なる転落経路に振り分ける振分装置１０５であって、遊技球５００が落下する落下口１２５を備える固定壁１２４と、遊技球５００の落下位置に配置され、固定壁１２４と交差するように往復動する基体１２０と、前記基体１２０の上端部に設けられ、落下してきた遊技球５００の転落経路を第１経路に変更する第１傾斜面１２１と、前記基体１２０の側部に起立状に延設され、前記第１傾斜面１２１で転落経路が変更される遊技球５００を整流し、前記遊技球５００より幅が狭い可動壁１２３と、前記可動壁１２３の上端部に設けられ、前記第１経路１５１とは異なる第２経路に落下してきた遊技球５００の転落経路を変更する第２傾斜面１２２と、前記基体１２０を往復動させることのできる駆動源１２６とを備える。【選択図】図４
2008289670.tif 000002
【特許請求の範囲】
【請求項１】
パチンコ機に用いられ、遊技球を異なる転落経路に振り分ける振分装置であって、
遊技球が落下する落下口を備える固定壁と、
遊技球の落下位置に配置され、固定壁と交差するように往復動する基体と、
前記基体の上端部に設けられ、落下してきた遊技球の転落経路を第１経路に変更する第１傾斜面と、
前記基体の側部に起立状に延設され、前記第１斜面で転落経路が変更される遊技球を整流し、前記遊技球より幅が狭い可動壁と、
前記可動壁の上端部に設けられ、落下してきた遊技球の転落経路を前記第１経路とは異なる第２経路に変更する第２傾斜面と、
前記基体を往復動させることのできる駆動源と
を備える振分装置。
【発明の詳細な説明】
【技術分野】
【０００１】
本発明は、パチンコ機に備えられ、遊技球を異なる転落経路に振り分ける振分装置に関する。
【背景技術】
【０００２】
従来、パチンコ機は、遊技領域の上部に打ち上げられ下方に向かって転落する遊技球の転落経路を乱雑に変更する釘や風車などが設けられ、予測不可能に転落する遊技球は、パチンコ機の興趣性を向上させる一要因となっている。
【０００３】
また、パチンコ機は、転落してくる遊技球を所定の確率で左右に振り分ける振分装置を備えることがある。この振分装置は、遊技者にとって有利な方向に遊技球が転落するか否かの二者択一的要素を取り入れることにより、遊技者に遊技球の行方を注目させるようなパチンコ機の独自色を形成するための演出として用いられる。
【０００４】
例えば特許文献１には、前記遊技球の振分装置に関する発明が記載されている。
特許文献１に記載の振分装置は、傾動方向及び上下の位置を任意に変更しうるシーソー部材を備え、当該シーソー部材の上面に到達した遊技球をシーソー部材の傾動位置や上下位置を変更することにより、遊技球を所定の領域に導くものである。
【特許文献１】特開２００２−１１３１８３号公報
【発明の開示】
【発明が解決しようとする課題】
【０００５】
ところが、前記シーソー部材を用いて遊技球を振り分ける場合、前記特許文献１に記載の発明のように、シーソー部材が取り付けられる奥壁と、前壁とでシーソー部材を挟み、シーソー部材の幅方向の端部から遊技球がこぼれ落ちないような構造とする必要があり、当該振分装置の構造が複雑化してしまう。
【０００６】
また、遊技球がスムーズに転がるようにシーソー部材の幅をシーソー部材の全長にわたって遊技球の直径より広くする必要があり、また、長さもある程度長くする必要があるため、振分装置全体が大型化してしまう。
【０００７】
さらに、落下する遊技球を揺動するシーソー部材で受け止める必要があるため、落下する遊技球を受け止める際の衝撃力がシーソー部材を揺動させる駆動力に対抗する方向または助長する方向に付与されるため、遊技球を受け止めるたびに駆動源に負荷がかかることになり振分装置が短寿命化してしまう。
【０００８】
本発明は、かかる問題に鑑みなされたものであって、簡単な構造で小型であり長寿命を実現しうる振分装置の提供を目的とする。
【課題を解決するための手段】
【０００９】
上記目的を達成するために、本願発明にかかる振分装置は、パチンコ機に用いられ、遊技球を異なる転落経路に振り分ける振分装置であって、遊技球が落下する落下口を備える固定壁と、遊技球の落下位置に配置され、固定壁と交差するように往復動する基体と、前記基体の上端部に設けられ、落下してきた遊技球の転落経路を第１経路に変更する第１傾斜面と、前記基体の側部に起立状に延設され、前記第１斜面で転落経路が変更される遊技球を整流し、前記遊技球より幅が狭い可動壁と、前記可動壁の上端部に設けられ、落下してきた遊技球の転落経路を前記第１経路とは異なる第２経路に変更する第２傾斜面と、前記基体を往復動させることのできる駆動源とを備えることを特徴とする。
【００１０】
これにより、遊技球を第２の経路に振り分ける第２傾斜面が可動壁に設けられ、しかも遊技球の直径より幅が狭いため、振分装置全体を小型化することができるとともに、簡単な構造の振分装置を提供することができる。しかも、落下する遊技球から付与される衝撃力と基体が出没する方向とが交差状態となるため、遊技球の落下による衝撃力が駆動源に及ぼす力を抑制することができ、振分装置の長寿命化を図ることができる。
【発明の効果】
【００１１】
本発明によれば、構造が簡単で、小型、長寿命の振分装置とすることができる。
【発明を実施するための最良の形態】
【００１２】
以下、本発明の実施の形態にかかる振分装置を備えるパチンコ機について図面を参照しつつ説明する。
【００１３】
図１は、本発明の実施の形態にかかるパチンコ機の斜視図である。
同図(ａ)に示すように、パチンコ機１０は、外枠１１、前枠１２、窓枠１３、および窓枠１３に覆われた遊技盤などを備えている。
【００１４】
また、同図（ｂ）に示すように、パチンコ機１０は、その背面に、液晶ディスプレイなどの表示制御を行なう表示サブ基盤２１、各種遊技音の出力制御を行なう音サブ基盤２２、パチンコ機１０の主要な制御を行う処理部、例えば遊技に関する主たる制御手段を備える主基盤２３、遊技球の払い出し動作を制御する払出基盤２４、各基盤等に電源を供給する電源基盤２５等を備えている。
【００１５】
同図（ｂ）に示すように、前記各種基盤は、不正防止のため、それぞれが透明ケースに収納された状態で取り付けられている。
【００１６】
外枠１１は、パチンコホールに設置されている台島の開口部にパチンコ機１０を取り付けるための部材であり、前後面が開口する薄い四角筒状に形成されている。外枠１１の大きさは、台島の開口部に合致する大きさで統一されており、正面視において外枠１１の範囲内にパチンコ機１０が納まるものとなっている。
【００１７】
前枠１２は、ヒンジにより外枠１１の前端面に開閉可能に軸着されている。従って、パチンコホールの台島に外枠１１が固定された状態において、前枠１２を開閉することができ、台島に取り付けられた状態でパチンコ機１０の背面を見ることができるようになっている。
【００１８】
前枠１２の前面下部には、上面が開口する下皿１４と、上面が開口する上皿１５とが固定されている。上皿１５は払い出された賞球(遊技球)が保持されるとともに、遊技球を遊技領域に打ち出すための打球鎚に遊技球を供給するための部位である。下皿１４は、上皿１５が賞球でいっぱいになった場合に溢れた賞球を保持しておく部位である。
【００１９】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球鎚が連結されている。この発射モータは打球鎚の駆動源に相当するものであり、発射ハンドル１９が回動操作されたときには発射モータに駆動電源が与えられ、打球鎚が駆動することに基づいて上皿１５から供給される遊技球を遊技領域に弾き出すものとなっている。
【００２０】
窓枠１３は、前枠１２の前面に開閉自在に軸着されている。窓枠１３は、円形孔状の窓部１７を有し、窓部１７には透明なガラス窓１７ａが固定されている。この窓枠１３の左上隅部および右上隅部の裏面には、遊技音を出力するスピーカ１８が固定されている。また、窓枠１３には複数の装飾ＬＥＤが固定されている。
【００２１】
次に、窓枠１３の奥にガラス窓１７ａを介して視認可能に取り付けられる遊技盤につい説明する。
【００２２】
図２は、遊技盤の正面図である。
遊技盤３０は、上述のように前枠１２の後面に装着されており、窓枠１３のガラス窓１７ａに前方から覆われている。
【００２３】
遊技盤３０は、遊技領域を形成する部材であり、基礎板３１、ガイドレール３２、障害釘３９、始動口３３、中央役物１００、アウト口５２、一般入賞口３５、図柄表示手段３７などを備えている。
【００２４】
基礎板３１は、遊技盤３０の各構成部材を固定するための板であり、中間部に中央役物１００や図柄表示手段３７を取り付けるための矩形の孔が設けられている。
【００２５】
図柄表示手段３７は、第２種遊技の演出としての図柄を表示する液晶画面を備える装置であり、中央役物１００の背面に配置され、基礎板３１に設けられた前記矩形の孔を通して図柄が見えるように基礎板３１に取り付けられている。
【００２６】
ガイドレール３２は、この基礎板３１の前面に起立状に取り付けられる金属製帯状の部材であり、遊技球が転落する領域である遊技領域３１ｂを画定している。
【００２７】
障害釘３９は、遊技領域３１ｂ内の基礎板３１に植設され、遊技領域３１ｂを転落する遊技球の進路を複雑に変化させる部材である。
【００２８】
始動口３３は、遊技球が入ることにより中央役物１００の役物羽根１０１を稼働させる契機となる部分であり、上面が開口するポケット状に形成される部材である。始動口３３は、遊技領域３１ｂ内における中央役物１００の下方に３箇所に取り付けられており、左右両側に「１」と付されている始動口３３に遊技球が入賞すると役物羽根１０１が１回開閉する。また、中央の「２」と付されている始動口３３に遊技球が入賞すると役物羽根１０１が２回開閉を繰り返すものとなっている。始動口３３の背部には、役物羽根１０１開閉の契機となる始動口スイッチ（図示せず）が内部に取り付けられている。始動口スイッチは、始動口３３内に遊技球が入賞したことを検出するセンサである。
【００２９】
一般入賞口３５は、遊技球が入賞すると所定数の賞球が払い出される部分であり、上面が開口するポケット状に形成されている。一般入賞口３５は、一般入賞口スイッチが内部に取り付けられており、遊技球が一般入賞口３５に入賞したことを一般入賞口スイッチが検知するものとなっている。
【００３０】
図３は、中央役物を示す斜視図である。
同図に示すように、中央役物１００は、役物羽根１０１と、第１振分装置１０２と、第２振分装置１１０と、第３振分装置１０３と、第４振分装置１０４と、第５振分装置１０５と、復活鎚１０６とを備えている。
【００３１】
役物羽根１０１は、中央役物１００に遊技球を導入するための可動部材であり、中央役物１００の上部に左右対称に一対設けられている。役物羽根１０１は、通常閉ざされた状態となっており、この状態では中央役物１００内に遊技球は入賞しない。遊技球が始動口３３に入賞した場合、役物羽根１０１は、短時間開状態となった後、閉状態に戻る。遊技球が「２」と付された始動口３３に入賞した場合は、役物羽根１０１の前記開閉動作が２回続けで実施される。また、中央役物１００に入賞した遊技球が中央役物１００内のＶゾーンに入った場合、役物羽根１０１は、中央役物１００に所定球数（例えば１０球）入賞するか、役物羽根１０１が所定回数（例えば１８回）開閉動作を実施するかのいずれかが早く達するまで開閉動作を繰り返す。この遊技球がＶゾーンに入った後の状態は大当たり遊技と言われている。
【００３２】
第１振分装置１０２は、開状態の役物羽根１０１により中央役物１００に入賞した遊技球が最初に振り分けられる部分である。本実施の形態の場合、役物羽根１０１を通過して入賞した遊技球は、球流路中央部に案内され、中央部に設けられた孔に落下する。前記孔の下方には垂れ下がった垂下片１０７が揺動自在に設けられており、当該垂下片１０７の揺動により遊技球は左右方向に延びる二つの球流路のいずれかに振り分けられる。
【００３３】
第２振分装置１１０は、本願発明にかかる振分装置であって、中央役物１００の左右側端に一対設けられている。これら一対の第２振分装置１１０は、第１振分装置１０２で振り分けられた遊技球を受け入れて、さらに二つの球流路のいずれかに振り分ける装置である。
【００３４】
第３振分装置１０３は、第２振分装置１１０で振り分けられた遊技球の内、所定の球流路に案内された遊技球に対し遊技球の行く先を振り分ける装置である。第３振分装置１０３は、人間の下半身を短足にデフォルメし、大きな靴を履かせた人形状の部材を備え、当該下半身の部材が「トコトコ」と歩くように３次元的に稼働する。そして、下半身の部材が歩くように動くことによって下半身の部材の足下に設けられた孔を開閉できるものとなっている。従って、第３振分装置１０３に案内された遊技球は、下半身の部材が足を上げた状態で遊技球か第３振分装置１０３に到達すると、遊技球は孔に落ち込み、下半身の部材が足を降ろした状態で遊技球が第３振分装置１０３に到達すると、第３振分装置１０３の背部に案内される。第３振分装置１０３は、下半身の部材を水平に延びる軸を回転軸として垂直面内で揺動させると共に、傘歯車を組み合わせることにより、下半身の部材を前記水平に延びる回転軸に垂直に交わる軸を回転軸として前記垂直面に対し垂直に回転する。従って、一つのソレノイドやモータで両足を３次元的に稼働させることができ、左右に配置される第２振分装置１１０から左右別々に到達する遊技球をそれぞれ振り分けることが可能となっている。
【００３５】
第４振分装置１０４は、第２振分装置１１０で振り分けられた遊技球の内、第３振分装置１０３に案内されなかった遊技球、及び、第３振分装置１０３で孔に落ち込まなかった遊技球を、大当たりか外れかのいずれかに振り分ける装置である。第４振分装置１０４は、垂直から若干傾いた軸を回転軸とする回転体と、回転体に放射方向にＵ字状に切り欠かれた切欠と、遊技球を回転体に案内する案内路と復活路とを備えている。また、切欠は、回転体に等間隔に４つ設けられており、これらの内の「Ｖ」と付され、最も深く切り欠かれたＶゾーンに遊技球が保持されると、大当たりとなる孔に落ち込み、それ以外の切欠に保持されるとアウト球として処理される孔に落ち込む。第４振分装置１０４に到達した遊技球は、以上のようにして最終的な振り分けがなされる。
【００３６】
第５振分装置１０５は、第３振分装置１０３の足下にある孔に落ち込んだ遊技球の行く先を振り分ける装置であり、左右にそれぞれ設けられている。なお、第５振分装置１０５は、後ほど詳述する。
【００３７】
復活鎚１０６は、所定の間隔、または、ランダムに出没を繰り返し、復活鎚１０６の目前に存在する遊技球を打ち出すことのできる部材である。復活鎚１０６にはソレノイドが接続されている。そして、ソレノイドをあるタイミングで通電することで、プランジャを介し復活鎚１０６が短時間で出没する。復活鎚１０６は、第５振分装置１０５により、壁沿いに進行してきた遊技球をある確率で第４振分装置１０４に打ち出すことができるものとなっている。
【００３８】
図４は、第５振分装置（右側）の突出状態を示す斜視図である。
同図に示す第５振分装置１０５は、中央役物１００の内に設けられ、遊技球５００を異なる転落経路に振り分ける振分装置であって、落下口１２５、固定壁１２４と、基体１２０と、ソレノイド１２６とを備える。
【００３９】
固定壁１２４は、中央役物１００本体の一部をなすものであり、床面１２７に対し垂直に起立状態で設けられている。
【００４０】
落下口１２５は、固定壁１２４の上部に開口し、球流路５０１によって案内された遊技球５００が落下する部分である。なお、落下口１２５から落下する遊技球５００は、自由落下に近い状態で落下するように球流路５０１や落下口１２５が調整されている。
【００４１】
基体１２０は、遊技球５００の落下地点に配置され、遊技球５００を受ける部材であり、第１傾斜面１２１と、可動壁１２３と、第２傾斜面１２２とを備えている。
【００４２】
第１傾斜面１２１は、基体１２０の上端部に設けられ、遊技球５００受け止めることにより遊技球５００の転落経路を第１経路１５１に変更する部分である。中央役物１００に向かって右側に配置される基体１２０の第１傾斜面１２１は、右下に向かって傾斜しており、第１傾斜面１２１に受け止められた遊技球５００は固定壁１２４に沿って右方向に進行する。
【００４３】
可動壁１２３は、第１傾斜面１２１が受け止めた遊技球５００を固定壁１２４と共に挟み、遊技球５００のぶれを規制し整流するものであり、基体１２０の固定壁１２４と反対側の側部に起立状に延設されている。従って可動壁１２３は、基体１２０と共に移動する。また、可動壁１２３の幅は、遊技球５００より幅が狭い。
【００４４】
第２傾斜面１２２は、可動壁１２３の上端部に設けられ、図５に示すように、第１経路１５１とは異なる第２経路１５２に遊技球５００の転落経路を変更する部分である。中央役物１００に向かって右側に配置される基体１２０の第２傾斜面１２２は、左下に向かって傾斜しており、第２傾斜面１２２に受け止められた遊技球５００は、固定壁１２４に沿って左方向に進行する。
【００４５】
ソレノイド１２６は、ソレノイド１２６に投入する電源をオン、オフすることにより１次元の往復運動を発生させることのできる駆動源であり、ソレノイド１２６に接続されたプランジャ１２８を介して基体１２０を固定壁１２４に対して出没させることができる。
【００４６】
なお、左側に取り付けられる第５振分装置１０５については、形状が左右対称になるだけで作用や効果は同様であるのでその説明を省略する。
【００４７】
次に、本実施の形態にかかる第５振分装置１０５の振分動作を説明する。
図４に示すように、ソレノイド１２６によって、基体１２０が固定壁１２４から完全に突出状態となっている場合、球流路５０１を通り落下口１２５からほぼ固定壁１２４に沿って落下した遊技球５００は、第１傾斜面１２１に受け止められる。この際、基体１２０は、床面１２７に載置された状態となっているため、遊技球５００から下方向に向かって付与される衝撃力は、床面１２７で受け止められる。加えて、ソレノイド１２６によるプランジャ１２８の可動方向と前記衝撃力とは垂直に交差するため、ソレノイド１２６に前記衝撃力が伝わることが無い。従ってソレノイド１２６に突発的な負荷がかかることが無く、長寿命化を図ることが可能となる。
【００４８】
次に、受け止められた遊技球５００は、第１経路１５１に転落方向が変換され、固定壁１２４と可動壁１２３との間で整流されつつ第１傾斜面１２１を転がり落ちる。
【００４９】
一方、図５に示すように、ソレノイド１２６によって基体１２０が固定壁１２４に対し没入状態となっている場合、ここで、本実施の形態の場合、基体１２０を固定壁１２４に完全に没入させるのではなく、第１傾斜面１２１の幅方向の半分が固定壁１２４内部に挿入される程度まで没入させている。
【００５０】
球流路５０１を通り落下口１２５からほぼ固定壁１２４に沿って落下した遊技球５００は、第２傾斜面１２２に受け止められる。この際の衝撃力が床面１２７で受け止められる点は上記と同様である。
【００５１】
次に、受け止められた遊技球５００は、第２経路１５２に転落方向が変換され、固定壁１２４に沿いながら第１傾斜面１２１を転がり落ちる。
【００５２】
以上のように、第５振分装置１０５は、簡単な構造で小型、長寿命であるにもかかわらず、ソレノイド１２６による基体１２０の出没により遊技球５００の転落方向を左右に振り分けることが可能となる。従って、本実施の形態のように、２種中央役物１００内に配置される脇役として好適に採用され、高い信頼性を獲得することができる。
【００５３】
なお、本実施の形態では第１傾斜面１２１や第２傾斜面１２２で遊技球５００が転がり落ちるように説明したが、本願発明にかかる振分装置はこれに限定されるわけではない。例えば、落下する遊技球５００を第１傾斜面１２１や第２傾斜面１２２で弾くことにより傾斜面を転がすことなく遊技球５００の転落経路を変更しても構わない。
【００５４】
また、図６に示すように、基体１２０を完全に没入できるものとし、遊技球５００の落下点である床面１２７に第３傾斜面１３１を設けても構わない。この場合、基体１２０を固定壁１２４から完全に突出させれば第１傾斜面１２１により遊技球５００を第１経路１５１に振り分けることができ、基体１２０を固定壁１２４に対し中途に突出（または没入）させれば第２傾斜面１２２により遊技球５００を第２経路１５２に振り分けることができ、基体１２０を固定壁１２４に完全に没入させれば第３傾斜面１３１により遊技球５００を第３経路に振り分けることが可能となる。
【００５５】
また、第３傾斜面１３１の幅を対応する基体１２０より狭くすることにより、基体１２０は、第３傾斜面１３１を跨ぐように配置されることができ、基体１２０の両端縁は床面１２７と当接することができる。このような構造にすれば、基体１２０が遊技球５００からの衝撃力を受けたとき、その衝撃力を床面１２７で受け止めることができ、第５振分装置１０５全体の剛性を確保することも可能となる。
【産業上の利用可能性】
【００５６】
本願発明は、２種のパチンコ機などパチンコ機に利用できる。
【図面の簡単な説明】
【００５７】
【図１】本発明の実施の形態にかかるパチンコ機の斜視図。
【図２】遊技盤を示す正面図。
【図３】中央役物を示す斜視図。
【図４】第５振分装置（右側）の突出状態を示す斜視図。
【図５】第５振分装置（右側）の中途突出（没入）状態を示す斜視図。
【図６】振分装置の他の態様を示す斜視図。
【符号の説明】
【００５８】
１０…パチンコ機、１００…中央役物、１０５…第５振分装置、１２０…基体、１２１…第１傾斜面、１２２…第２傾斜面、１２３…可動壁、１２４…固定壁、１２５…落下口、１２６…ソレノイド
【図１】
2008289670.tif 000003
【図２】
2008289670.tif 000004
【図３】
2008289670.tif 000005
【図４】
2008289670.tif 000006
【図５】
2008289670.tif 000007
【図６】
2008289670.tif 000008